(57)【要約】本発明は、携帯端末の個人情報を伝送する装置及びその方法に関し、特に、所定の携帯端末内の全てのデータ（例えば、電話番号簿、動画、写真、各種メモ、通話目録、送受信されたメッセージ、ベル音、ＭＰ３データなど）を他の携帯端末に伝送する装置及びその方法に関する。本発明は、携帯端末のデータを伝送する個人情報伝送装置において、前記携帯端末との接続のための携帯端末用インターフェースと、接続された前記携帯端末を認識する携帯端末認識部と、前記個人情報伝送装置に対する認証を処理するために、外部の認証サーバーに連結される認証処理部と、接続された前記携帯端末を認識することによって、前記携帯端末用モジュールを要請して受信するために、外部のメーカー別の携帯端末モジュール提供サーバーに連結される携帯端末用モジュール受信部と、前記携帯端末モジュールに従って接続された前記携帯端末のデータを格納し、要請に応じて格納されたデータを提供する格納部と、前記構成部に連結されて前記携帯端末のデータ伝送を制御する制御部と、を含むことを特徴とする。【選択図】図１
2009514320.tif 000002
【特許請求の範囲】
【請求項１】
携帯端末のデータを伝送する個人情報伝送装置において、
前記携帯端末との接続のための携帯端末用インターフェースと、
接続された前記携帯端末を認識する携帯端末認識部と、
前記個人情報伝送装置に対する認証を処理するために、外部の認証サーバーに連結される認証処理部と、
接続された前記携帯端末を認識することによって、前記携帯端末用モジュールを要請して受信するために、外部のメーカー別の携帯端末モジュール提供サーバーに連結される携帯端末用モジュール受信部と、
前記携帯端末モジュールに従って接続された前記携帯端末のデータを格納し、要請に応じて格納されたデータを提供する格納部と、
前記構成部に連結されて前記携帯端末のデータ伝送を制御する制御部と、を含む携帯端末のデータを伝送する個人情報伝送装置。
【請求項２】
前記携帯端末用インターフェースは、前記携帯端末の外部連結部と互換されるＵＳＢ連結部であることを特徴とする請求項１に記載の携帯端末のデータを伝送する個人情報伝送装置。
【請求項３】
前記携帯端末認識部は、前記制御部から前記携帯端末用インターフェースを介して連結された前記携帯端末の初期連結情報を提供されて当該携帯端末を認識し、その認識情報を前記制御部に提供することを特徴とする請求項１に記載の携帯端末のデータを伝送する個人情報伝送装置。
【請求項４】
前記格納部は、個人情報の伝送のために臨時に個人情報を格納することを特徴とする請求項１に記載の携帯端末のデータを伝送する個人情報伝送装置。
【請求項５】
前記格納部は、前記制御部から伝達された前記携帯端末用モジュールに従って格納領域を割り当て、前記制御部から伝達される前記携帯端末の個人情報を前記割り当てられた格納領域に格納することを特徴とする請求項４に記載の携帯端末のデータを伝送する個人情報伝送装置。
【請求項６】
前記制御部は、前記携帯端末用インターフェースを介して個人情報を伝送しようとする第１の携帯端末の連結があると、その連結情報を前記携帯端末認識部に伝達して、前記第１の携帯端末に関する認識情報を受信し、
前記認証処理部を通じて個人情報の伝送のための認証を行い、その認証結果を提供され、
前記認識情報を前記携帯端末用モジュール受信部に伝達し、接続された第１の携帯端末に関する携帯端末用モジュールを受信し、前記格納部の格納領域を割り当て、前記認証情報を通じて前記第１の携帯端末から個人情報を伝達され、前記格納部の割り当てられた格納領域に格納し、
前記携帯端末用インターフェースを介して、前記格納された個人情報を伝送されようとする第２の携帯端末の連結があると、その情報を前記携帯端末認識部に伝達して、前記第２の携帯端末に関する認識情報を受信し、
受信された認識情報を前記携帯端末用モジュール受信部に伝達し、接続された前記第２の携帯端末のための携帯端末用モジュールを受信し、当該携帯端末用モジュールに従って、前記格納部の割当領域のデータを、連結された前記第２の携帯端末に提供することを特徴とする請求項１に記載の携帯端末のデータを伝送する個人情報伝送装置。
【請求項７】
前記制御部は、前記第１の携帯端末のための携帯端末用モジュールと前記第２の携帯端末のための携帯端末用モジュールとを比較して、その支援解像度及び音源の個数に従ってデータ形式を変更するプロビジョニング（Ｐｒｏｖｉｓｉｏｎｉｎｇ）作業を行うことを特徴とする請求項６に記載の携帯端末のデータを伝送する個人情報伝送装置。
【請求項８】
携帯端末のデータを伝送する個人情報伝送方法において、
個人情報を伝送しようとする所定の携帯端末に連結されて当該携帯端末を認識する第１の段階と、
前記個人情報の伝送のための認証を行い、その認証結果を提供される第２の段階と、
前記第１の段階での認識に従って、前記第１の携帯端末用モジュールを受信し、前記第２の段階の認証結果を通じて、前記第１の携帯端末から前記個人情報を伝達されて格納する第３の段階と、
格納された個人情報を伝送されようとする第２の携帯端末に連結されて前記第２の携帯端末を認識する第４の段階と、
前記第４の段階での認識に従って、前記第２の携帯端末用モジュールを受信し、前記格納された第１の携帯端末の個人情報を、前記受信された第２の携帯端末用モジュールに従って第２の携帯端末に伝送する第５の段階と、を含む携帯端末のデータを伝送する個人情報伝送方法。
【請求項９】
前記第５の段階は、
前記第１の携帯端末用モジュールと前記第２の携帯端末用モジュールとの内容を比較して、その結果に従ってデータを変形するプロビジョニング過程を更に含むことを特徴とする請求項８に記載の携帯端末のデータを伝送する個人情報伝送方法。
【請求項１０】
前記プロビジョニング過程は、
前記第１の携帯端末用モジュールと前記第２の携帯端末用モジュールとの情報を比較する第６の段階と、
前記第６の段階の比較結果、第１の携帯端末で支援する解像度を第２の携帯端末が全て支援するのか確認する第７の段階と、
前記第７の段階の確認結果、全て支援するものではないと、支援しない解像度のデータが実際にあるのかを確認する第８の段階と、
前記第の８段階の確認結果、支援しない解像度のデータがあれば、当該解像度のデータを前記第２の携帯端末が支援する解像度にダウンスケールする第９の段階と、
前記第１の携帯端末で支援する音源の個数を前記第２の携帯端末が支援するのか確認する第１０の段階と、
前記第１０の段階の確認結果、支援しなければ、支援しない和音のデータが実際にあるのかを確認し、支援しない和音のデータがあれば、当該和音のデータを前記第２の携帯端末が支援する和音にダウンスケールする第１１の段階と、を含むことを特徴とする請求項９に記載の携帯端末のデータを伝送する個人情報伝送方法。
【発明の詳細な説明】
【技術分野】
【０００１】
本発明は、携帯端末の個人情報を伝送する装置及びその方法に関し、特に、所定の携帯端末内の全てのデータ（例えば、電話番号簿、動画、写真、各種メモ、通話目録、送受信されたメッセージ、ベル音、ＭＰ３データ等）を他の携帯端末に伝送する装置及びその方法に関する。
【背景技術】
【０００２】
個人が、多様な携帯端末を所有するようになっており、このような携帯端末を通じた種々の情報との接近は、現代生活で必須な部分になってきている。このように、携帯端末の使用が普遍化されつつあり、そのサービス領域が拡大されるに従って、携帯端末の管理の問題が浮び上がっている。特に、携帯端末の交替に際して、既存に格納されたデータの伝送についての問題が大きく浮び上がっている。
【０００３】
現在、携帯端末の個人データの格納量の増大（例えば、電話番号個数の最大２０００個など）、携帯端末技術の発達による住所録、直接撮影した動画、及び、写真、ダウンロードしたコンテンツなど、携帯端末に格納されたデータの大きさが急激に増大している。また、携帯端末の使用者らが、全ての情報を携帯端末に集中する傾向が現れるに従って、携帯端末に格納されたそれぞれのデータの重要度も次第に高まっている。
【０００４】
ところが、携帯端末の平均交替の周期は、益々短縮されており、これにより、既存の携帯端末から新規携帯端末へのデータの伝送（復元）が要求されているが、それぞれのメーカーが提供するプログラムでは、新規携帯端末へのデータの伝送は、住所録（名前電話番号）以外のデータのやりとりがなされていないことが現実情である。但し、同一携帯端末（メーカーのモデル名が同じ場合）への交替は、メーカーで提供するプログラムを通じてデータの伝送が可能である。しかしながら、携帯端末を交替する場合は、既存の携帯端末に比べて、より良い性能を持つ新規携帯端末に交替したり、他社の携帯端末に交替する場合が多いために、実際に、現在使用中の携帯端末のデータを全て提供され得るようにする装置及び方法は全くない実情である。したがって、携帯端末の使用者の立場では、既存の携帯端末が多いデータを持っている場合は、このようなデータを新しく登録し、格納するのに手間がかかり、新しい携帯端末を購買することを躊躇する傾向が発生する。
【０００５】
このような問題点を解決して、携帯端末間の使用者の便宜性を高めるために、携帯端末によって伝送可能なデータ領域を区分し、これにより、当該データ領域の情報を一度に伝送できるようにする方案に対する工夫が必要な実情である。
また、最近増えた携帯端末の種類によって、各々の携帯端末が支援する写真データに対する解像度及びベル音データなどに対する音源の個数などが異なっている。このように、その解像度及び音源の個数が異なっている場合、データが移動されるとしても、これを伝達された携帯端末では、実際に、このようなデータを使用できない場合が発生するようになるという問題点についても、解決方案が要求されている。
【発明の開示】
【発明が解決しようとする課題】
【０００６】
本発明は、上記のような問題点を解決するために提案されたものであり、携帯端末で携帯端末内のデータに対する復元／伝送の要請があった場合、既存の携帯端末からデータを提供され、これを新規携帯端末に当該新規携帯端末に合う形態のデータに変換して伝送する、携帯端末の個人情報伝送装置及びその方法を提供することにその目的がある。
【０００７】
特に、本発明は、新規携帯端末へのデータ伝送に際して、ハードウェア上の支援スペックが異なっていることによって生じる転送されるデータの有効性の問題を、自動に解決するようにすることにその他の目的がある。
【課題を解決するための手段】
【０００８】
上記の目的を達成するための本発明は、携帯端末のデータを伝送する個人情報伝送装置において、前記携帯端末との接続のための携帯端末用インターフェースと、接続された前記携帯端末を認識する携帯端末認識部と、前記個人情報伝送装置に対する認証を処理するために、外部の認証サーバーに連結される認証処理部と、接続された前記携帯端末を認識することによって、前記携帯端末用モジュールを要請して受信するために、外部のメーカー別の携帯端末モジュール提供サーバーに連結される携帯端末用モジュール受信部と、前記携帯端末モジュールに従って、接続された前記携帯端末のデータを格納し、要請に応じて格納されたデータを提供する格納部と、前記構成部に連結されて前記携帯端末のデータ伝送を制御する制御部と、を含む。
【０００９】
また、本発明は、携帯端末のデータを伝送する個人情報伝送方法において、個人情報を伝送しようとする所定の携帯端末に連結されて当該携帯端末を認識する第１の段階と、前記個人情報の伝送のための認証を行い、その認証結果を提供される第２の段階と、前記第１の段階での認識に従って前記第１の携帯端末用モジュールを受信し、前記第２の段階の認証結果を通じて、前記第１の携帯端末から前記個人情報を伝達されて格納する第３の段階と、格納された個人情報を伝送されようとする第２の携帯端末に連結されて前記第２の携帯端末を認識する第４の段階と、前記第４の段階での認識に従って前記第２の携帯端末用モジュールを受信し、前記格納された第１の携帯端末の個人情報を、前記受信された第２の携帯端末用モジュールに従って第２の携帯端末に伝送する第５の段階と、を含む。
【発明の効果】
【００１０】
上記のような本発明は、携帯端末で携帯端末内のデータに対する復元／伝送の要請があった場合、既存の携帯端末からデータを提供され、これを新規携帯端末に当該新規携帯端末に合う形態のデータに変換して伝送できるという効果がある。
【００１１】
また、本発明は、新規携帯端末へのデータ伝送に際して、ハードウェア上の支援スペックが異なっていることによって生じる転送されるデータの有効性の問題を、自動に解決できるという効果がある。
【発明を実施するための最良の形態】
【００１２】
以下、添付の図面を参照して、本発明に係る望ましい実施例を詳細に説明する。また、本発明を説明するにおいて、関係する公知の機能あるいは構成に関する具体的な説明が本発明の要旨を不要に不明にすると判断される場合、それに関する詳細な説明は省略することにする。
【実施例】
【００１３】
図１は、本発明が適用される携帯端末の個人情報伝送システムの一実施例の構成図である。
【００１４】
図１を参照すれば、格納されたデータを伝送しようとする第１の携帯端末１１と、第１の携帯端末１１からデータを伝送されようとする第２の携帯端末１２と、携帯端末間のデータ伝送のための個人情報伝送装置１３に対して認証を行う認証サーバー１４と、各々のメーカー別の携帯端末のデータ構造及び当該携帯端末が支援するデータ形式に対する情報を持った各々の携帯端末モジュールを格納し、これを提供するメーカー別の携帯端末モジュール提供サーバー１５と、第１の携帯端末１１から第２の携帯端末１２にデータを伝送するようにする個人情報伝送装置１３と、を含む。
【００１５】
また、個人情報伝送装置１３が、このようなサービスについて課金を必要とする場合、課金情報を提供する課金サーバー１６を更に含むことができる。
【００１６】
その動作を簡単に考察してみると、まず、格納されたデータを伝送しようとする第１の携帯端末１１が個人情報伝送装置１３に接続すると、個人情報伝送装置１３は、当該携帯端末１１を認識し、個人情報の伝送のために認証サーバー１４から認証を受ける。そして、メーカー別の携帯端末モジュール提供サーバー１５から第１の携帯端末１１の携帯端末モジュールを提供され、当該モジュールに従って第１の携帯端末１１からデータを伝送されて格納する。
【００１７】
そして、データを伝送されようとする第２の携帯端末１２が個人情報伝送装置１３に接続すると、個人情報伝送装置１３は、当該携帯端末１２を認識する。そして、メーカー別の携帯端末モジュール提供サーバー１５から第２の携帯端末１２の携帯端末モジュールを提供され、当該モジュールに従って格納された第１の携帯端末１１からのデータを伝送する。
【００１８】
図２は、本発明に係る携帯端末のデータを伝送する個人情報伝送装置に関する一実施例の構成図である。
【００１９】
図２を参照すれば、本発明に係る携帯端末のデータを伝送する個人情報伝送装置は、携帯端末との接続のための携帯端末用インターフェース２２と、接続された携帯端末を認識する携帯端末認識部２３と、個人情報伝送装置に対する認証を処理するために認証サーバー１４に連結される認証処理部２４と、接続された携帯端末を認識することによって、携帯端末用モジュールを要請して受信するために、メーカー別の携帯端末モジュール提供サーバー１５に連結された端末用モジュール受信部２５と、受信された携帯端末モジュールに従って接続された携帯端末のデータを格納し、格納されたデータを提供する格納部２６と、上記のそれぞれの構成部分に連結されて、本発明に係る携帯端末のデータ伝送を制御する制御部２１と、を含む。
【００２０】
各々の動作を考察してみると、まず、携帯端末用インターフェース２２は、携帯端末の外部連結部と互換されるＵＳＢ連結部を意味し、本発明の実施例では、１つの連結部を有したことを例示しているが、多数の連結部を介して伝送側の携帯端末１１と受信側の携帯端末１２とを同時に連結し、個人情報の伝送を行うこともできる。
【００２１】
そして携帯端末認識部２３は、制御部２１から携帯端末用インターフェース２２を介して連結された携帯端末の初期連結情報を提供されて当該携帯端末を認識し、その認識情報を制御部２１に提供する。ここで、認識情報は、携帯端末用モジュールを要請するのに使用される。
【００２２】
そして、認証処理部２４は、本発明に係る個人情報伝送装置が、個人情報を運用できるかについて認証を処理するためのものであり、制御部２１の制御によって認証サーバー１４を通じて認証を行う。このような認証がなされない場合、個人情報伝送装置１３は、連結された携帯端末１１、１２から個人情報を要請して受信することができない。
【００２３】
そして、携帯端末用モジュール受信部２５は、制御部２１から認識された携帯端末の認識情報を受け、これをメーカー別の携帯端末用モジュール提供サーバー１５に伝送し、それによる携帯端末用モジュールを受信して、これを制御部２１に伝達する。
【００２４】
そして、格納部２６は、個人情報の伝送のために臨時に個人情報を格納するが、制御部２１から伝達された携帯端末用モジュールに従って格納領域を割り当て、制御部２１から伝達される携帯端末１１の個人情報を、割り当てられた格納領域に格納する。
【００２５】
そして、制御部２１は、携帯端末用インターフェース２２を介して個人情報を伝送しようとする携帯端末の連結があると、その情報を携帯端末認識部２３に伝達して当該携帯端末に関する認識情報を受信し、認識処理部２４を通じて個人情報の伝送のための認証を行い、その認証結果を提供されると、受信された認識情報を携帯端末用モジュール受信部２５に伝達し、接続された携帯端末用モジュールを受信して格納部２６の格納領域を割り当て、認証情報を通じて携帯端末から個人情報を伝達され、格納部２６の割り当てられた格納領域に格納するようにする。そして、格納された個人情報を伝送されようとする携帯端末の連結があると、その情報を携帯端末認識部２３に伝達して当該携帯端末に関する認識情報を受信し、受信された認識情報を携帯端末用モジュール受信部２５に伝達し、接続された携帯端末用モジュールを受信して、当該携帯端末用モジュールに従って格納部２６の割当領域のデータを連結された携帯端末に提供する。また、伝送しようとする携帯端末用モジュールと伝送されようとする携帯端末用モジュールとを比較して、データ形式を変更するプロビジョニング（Ｐｒｏｖｉｓｉｏｎｉｎｇ）作業を行う。
【００２６】
図３は、本発明に係る携帯端末のデータを伝送する個人情報伝送装置において、携帯端末用モジュールに従って格納領域が割り当てられた格納部に関する一実施例の構成図である。
【００２７】
図３を参照すれば、本発明に係る携帯端末のデータを伝送する個人情報伝送装置において、携帯端末用モジュールに従って格納領域が割り当てられた格納部は、住所録情報などの電話番号簿を格納する電話番号簿格納領域３１と、使用者が直接撮った動画を解像度及びフレーム数に従って振り分けて格納する動画格納領域３２（著作権の問題がなければ、ダウンロードした動画も共に格納できる。）と、使用者が直接撮った写真を解像度に従って振り分けて格納する写真格納領域３３（著作権の問題がなければ、ダウンロードした写真も共に格納できる。）と、約束／メモ／記念日などを格納するための電子手帳用格納領域３４と、通話内訳及び文字メッセージなどを格納するための送受信内訳格納領域３５と、和音数別にダウンロードしたベル音及びＭＰ３データを格納するＭＰ３／ベル音格納領域３６と、を含む。
【００２８】
このような格納部の格納領域は、携帯端末用モジュールに従って分かれるものであり、当該携帯端末用モジュールが動画格納領域３２を提供しない場合のように、ある格納領域を提供しない場合は、このような提供されない格納領域は、省略することができる。
【００２９】
図４は、本発明に係る携帯端末のデータを伝送する個人情報の伝送方法に関する一実施例の動作フローチャートである。
【００３０】
図４を参照すれば、まず、個人情報を伝送しようとする所定の携帯端末に連結されて、当該携帯端末を認識する（４０１）。
そして、個人情報の伝送のための認証を行い、その認証結果を提供される（４０２）。
【００３１】
そして、当該携帯端末に関する認識情報を用いて当該携帯端末用モジュールを受信し（４０３）、認証結果を通じて、所定の携帯端末から伝送しようとする個人情報を伝達され、当該携帯端末用モジュールに従って格納する（４０４）。
そして、所定の携帯端末との連結を解除し、格納された個人情報を伝送されようとする第２の携帯端末に連結されて、当該携帯端末を認識する（４０５）。
そして、当該第２の携帯端末に関する認識情報を用いて当該携帯端末用モジュールを受信する（４０６）。
【００３２】
そして、所定の携帯端末用モジュールと第２の携帯端末用モジュールとの情報に従って、プロビジョニングが必要であるかを確認する（４０７）。
【００３３】
確認結果、プロビジョニングが必要でないと、格納された所定の携帯端末の個人情報を第２の携帯端末に伝送する（４０９）。
【００３４】
確認結果、プロビジョニングが必要であると、プロビジョニング処理し（４０８）、格納された所定の携帯端末の個人情報を第２の携帯端末に伝送する（４０９）。
【００３５】
そして、データの伝送が完了すると、４１０個人情報伝送装置に格納されたデータを削除する（４１１）。
【００３６】
図５は、本発明に係る携帯端末のデータを伝送する個人情報伝送方法におけるプロビジョニング過程に関する詳細動作のフローチャートである。
【００３７】
図５は、図４の４０７、４０８過程に関するものである。
まず、図５を参照すれば、伝送しようとする所定の携帯端末用モジュールと伝送されようとする第２の携帯端末用モジュールとの情報を比較する（５１）。
【００３８】
その比較結果、所定の携帯端末で支援する解像度を、第２の携帯端末が全部支援するのか確認する（５２）。この場合、最高解像度のみを比較してはならなく、支援可能な解像度を全部比較する。すなわち、６４０＊４８０、８００＊６００、１０２４＊７６８、１６００＊１２００を所定の携帯端末が支援し、６４０＊４８０、１０２４＊７６８、１６００＊１２００を第２の携帯端末が支援する場合、８００＊６００解像度のデータが、プロビジョニングが必要である。
【００３９】
その結果、全部支援するものではないと、支援しない解像度のデータが実際にあるのかを確認する（５３）。確認結果、当該データがなければ、プロビジョニング過程を行う必要がないためである。
【００４０】
支援しない解像度のデータがあると、当該解像度（すなわち、８００＊６００）のデータを、第２端末が支援する解像度（当該解像度に最も近い解像度、すなわち、６４０＊４８０）にダウンスケールする（５４）。
【００４１】
そして、音源に対するプロビジョニング作業について考察してみると、所定の携帯端末で支援する音源の個数（例えば、４０ポリ）を、第２の携帯端末が支援するのか確認する（５５）。
【００４２】
その結果、支援しなければ、支援しない和音のデータが実際にあるのかを確認する（５６）。支援しない和音のデータがあれば、当該和音のデータを、第２の携帯端末が支援する和音（例えば、１６ポリ）にダウンスケールする（５７）。
【産業上の利用分野】
【００４３】
上述したような本発明の方法は、プログラムで具現され、コンピュータ読取可能な形態で記録媒体（ＣＤ−ＲＯＭ、ＲＡＭ、フロッピー（登録商標）ディスク、ハードディスク、光磁気ディスクなど）に格納することができる。
【００４４】
以上で説明した本発明は、本発明が属する技術分野において通常の知識を有する者が、本発明の技術的思想を逸脱しない範囲内において種々の置換、変形及び変更が可能であるので、前述した実施例及び添付の図面によって限定されるものではない。
【図面の簡単な説明】
【００４５】
【図１】本発明が適用される携帯端末の個人情報伝送システムの一実施例の構成図である。
【図２】本発明に係る携帯端末のデータを伝送する個人情報伝送装置に関する一実施例の構成図である。
【図３】本発明に係る携帯端末のデータを伝送する個人情報伝送装置において、携帯端末用モジュールに従って格納領域が割り当てられた格納部に関する一実施例の構成図である。
【図４】本発明に係る携帯端末のデータを伝送する個人情報伝送方法に関する一実施例の動作フローチャートである。
【図５】本発明に係る携帯端末のデータを伝送する個人情報伝送方法におけるプロビジョニング過程に関する詳細動作のフローチャートである。
【図１】
2009514320.tif 000003
【図２】
2009514320.tif 000004
【図３】
2009514320.tif 000005
【図４】
2009514320.tif 000006
【図５】
2009514320.tif 000007
【国際調査報告】
2009514320.tif 000008
2009514320.tif 000009